(57)【要約】【課題】円形タンク等の縦型タンクを大型クレーンを使用することなく容易かつ短期間に解体することができる、縦型タンクの解体方法を提供する。【解決手段】円形タンク１の側壁２にスリット４を形成し、円形タンク１を旋回手段５により円形タンク１の中心軸を中心として旋回させて、円形タンク１をスリット４に沿って潰し、次いで、円形タンク１を切断し、撤去することによって解体する。【選択図】図１
2018188924.tif 000002
【特許請求の範囲】
【請求項１】
縦型タンクの側壁にスリットを形成し、前記縦型タンクを旋回手段により前記縦型タンクの中心軸を中心として旋回させて、前記縦型タンクを前記スリットに沿って潰し、次いで、前記縦型タンクを切断して、解体することを特徴とする、縦型タンクの解体方法。
【請求項２】
前記スリットは、前記側壁に上下多段にかつ前記側壁に沿って間隔をあけて形成した水平スリットと、上下段の前記水平スリット間に斜めに形成した傾斜スリットとから構成されていることを特徴とする、請求項１に記載の、縦型タンクの解体方法。
【請求項３】
前記旋回手段は、ワイヤと前記ワイヤを引っ張るジャッキとからなる、複数基のワイヤジャッキング装置から構成され、前記ワイヤの先端部は、前記側壁に固定されていることを特徴とする、請求項１または２に記載の、縦型タンクの解体方法。
【請求項４】
前記縦型タンクは、円形タンクからなることを特徴とする、請求項１から３の何れか１つに記載の、縦型タンクの解体方法。
【発明の詳細な説明】
【技術分野】
【０００１】
この発明は、縦型タンクの解体方法、特に、円形タンク等の縦型タンクを大型クレーンを使用することなく容易かつ短期間に解体することができる、縦型タンクの解体方法に関するものである。
【背景技術】
【０００２】
円形タンクの解体方法の一例が特許文献１に開示されている。以下、この円形タンクの解体方法を従来解体方法といい、図面を参照しながら説明する。
【０００３】
図４は、従来解体方法を示す説明図であり、（ａ）は、タンク側壁に切断部を形成した状態を示す正面図、（ｂ）は、タンク旋回手段と切断部にローラを設置した状態を示す正面図、（ｃ）は、切断片を撤去した後、タンクを旋回させる状態を示す正面図、図５は、図４（ｂ）のＡ部拡大図である。
【０００４】
図４において、１１は、円形状のタンク、１２は、タンク１１の側壁、１３は、側壁１２に形成した鋸歯状の切断部、１４は、タンク１１をタンク１１の中心軸を中心として旋回させる旋回手段である。
【０００５】
旋回手段１４は、タンク１１の側壁に巻き付けられたワイヤ１５と、ワイヤ１５を引っ張るジャッキ１６とからなっている。１７は、切断部１３に設置されたローラである。
【０００６】
従来解体方法によれば、以下のようにして、タンクが解体される。
【０００７】
先ず、図４（ａ）に示すように、タンク１１の側壁１２に、側壁１２を溶断することによって、切断部１３を鋸歯状に形成する。
【０００８】
次いで、図４（ｂ）に示すように、タンク１１の側壁１２にタンク１１をタンク１１の中心軸を中心として旋回させる旋回手段１４を設置する。さらに、タンク１１の上部をジャッキ等により若干持ち上げた後、図５に示すように、切断部１３にローラ１７を設置する。
【０００９】
次いで、図４（ｃ）に示すように、タンク１１の側壁１２の一部を切断し、切断片１２ａを撤去した後、旋回手段１４によりタンク１１をローラ１７を介して切断片１２ａ分だけ旋回させ、同様にして、側壁１２の次の一部を切断し、切断片１２ａを撤去する。この作業を繰り返し行うことによって、タンク１１を解体する。
【先行技術文献】
【特許文献】
【００１０】
【特許文献１】特開昭６２−１８５９６５号公報
【特許文献２】特開平１０−５９６９１号公報
【発明の概要】
【発明が解決しようとする課題】
【００１１】
上記従来解体方法によれば、大型クレーンを使用することなく円形タンクを解体することができるが、以下のような問題があった。
【００１２】
（１）ローラ１７の設置の際に、タンク１１自体を持ち上げる必要があり、ローラ１７の設置に時間と手間を要する。
（２）タンク１１の側壁１２の切断を低所で行うことができるが、側壁１２の切断とタンク１１の旋回とを交互に繰り返し行う必要があるので、タンク１１の解体に時間と手間を要する。
【００１３】
従って、この発明の目的は、円形タンク等の縦型タンクを大型クレーンを使用することなく容易かつ短期間に解体することができる、縦型タンクの解体方法を提供することにある。
【課題を解決するための手段】
【００１４】
この発明は、上記目的を達成するためになされたものであって、下記を特徴とするものである。
【００１５】
請求項１記載の発明は、縦型タンクの側壁にスリットを形成し、前記縦型タンクを旋回手段により前記縦型タンクの中心軸を中心として旋回させて、前記縦型タンクを前記スリットに沿って潰し、次いで、前記縦型タンクを切断して、解体することに特徴を有するものである。
【００１６】
請求項２記載の発明は、請求項１に記載の発明において、前記スリットは、前記側壁に上下多段にかつ前記側壁に沿って間隔をあけて形成した水平スリットと、上下段の前記水平スリット間に斜めに形成した傾斜スリットとから構成されていることに特徴を有するものである。
【００１７】
請求項３記載の発明は、請求項１または２に記載の発明において、前記旋回手段は、ワイヤと前記ワイヤを引っ張るジャッキとからなる、複数基のワイヤジャッキング装置から構成され、前記ワイヤの先端部は、前記側壁に固定されていることに特徴を有するものである。
【００１８】
請求項４に記載の発明は、請求項１から３の何れか１つに記載の発明において、前記縦型タンクは、円形タンクからなることに特徴を有するものである。
【発明の効果】
【００１９】
この発明によれば、縦型タンクの側壁にスリットを形成し、前記縦型タンクを旋回手段により前記縦型タンクの中心軸を中心として旋回させて、前記縦型タンクを前記スリットに沿って潰し、次いで、前記縦型タンクを切断し、撤去することによって、縦型タンクを大型クレーンを使用することなく容易かつ短期間に解体することができる。
【図面の簡単な説明】
【００２０】
【図１】この発明の、縦型タンクの解体方法により、縦型タンクの側壁にスリットを形成した状態を示す正面図である。
【図２】この発明の、縦型タンクの解体方法により、縦型タンクを旋回させる状態を示す平面図である。
【図３】この発明の、縦型タンクの解体方法により、縦型タンクを潰した状態を示す正面図である。
【図４】従来解体方法を示す説明図であり、（ａ）は、タンク側壁に切断部を形成した状態を示す正面図、（ｂ）は、タンク旋回手段と切断部にローラを設置した状態を示す正面図、（ｃ）は、切断片を撤去した後、タンクを旋回させる状態を示す正面図である。
【図５】図４（ｂ）のＡ部拡大図である。
【発明を実施するための形態】
【００２１】
この発明の、縦型タンクの解体方法の一実施態様を、図面を参照しながら説明する。
【００２２】
図１は、この発明の、縦型タンクの解体方法により、縦型タンクの側壁にスリットを形成した状態を示す正面図、図２は、この発明の、縦型タンクの解体方法により、縦型タンクを旋回させる状態を示す平面図、図３は、この発明の、縦型タンクの解体方法により、縦型タンクを潰した状態を示す正面図である。
【００２３】
図１から図３において、１は、縦型タンクとしての円形タンク、２は、円形タンクの側壁、３は、円形タンク１の屋根、４は、側壁２に、側壁２を溶断することにより形成されたスリットである。なお、縦型タンクは、円形タンク以外のタンクであっても良い。
【００２４】
スリット４は、側壁２に上下多段にかつ側壁２に沿って間隔をあけて形成された水平スリット４ａと、上下の水平スリット４ａ間に斜めに形成された傾斜スリット４ｂとから構成されている。なお、スリット４の形状は、これに限定されず、円形タンク１を旋回させることによって、円形タンク１を潰すことが可能な形状であればよい。
【００２５】
５は、円形タンク１を円形タンク１の中心軸を中心として旋回させる旋回手段である。
【００２６】
旋回手段５は、側壁２の上部に固定されたワイヤ６と、ワイヤ６を引っ張るジャッキ７とからなるワイヤジャッキング装置から構成されている。旋回手段５は、この例では、４基設置され、ジャッキ７によりワイヤ６を引っ張ることによって、側壁２は、旋回しながら水平スリット４ａと傾斜スリット４ｂとに沿って潰される。なお、ワイヤジャッキング装置としては、例えば、特許文献２に開示されたものを使用する。
【００２７】
以上のように構成されている、この発明の、縦型タンクの解体方法によれば、以下のようにして、縦型タンクを解体することができる。
【００２８】
先ず、図１に示すように、円形タンク１の側壁２に、水平スリット４ａと傾斜スリット４ｂとからなるスリット４を溶断により形成する。
【００２９】
次いで、旋回手段５を設置する。
【００３０】
次いで、図２に示すように、旋回手段５によって、円形タンク１を円形タンク１の中心軸を中心として旋回させて、図３に示すように、円形タンク１をスリット４に沿って潰す。旋回方向を、図１および図２に矢印で示す。
【００３１】
そして、潰された円形タンク１の側壁２および屋根３を切断し、撤去することによって、円形タンク１を解体することができる。
【００３２】
以上、説明したように、この発明によれば、縦型タンクとしての円形タンク１の側壁２にスリット４を形成し、円形タンク１を旋回手段５により円形タンク１の中心軸を中心として旋回させて、円形タンク１をスリット４に沿って潰し、次いで、円形タンク１を切断し、撤去することによって、円形タンク１を大型クレーンを使用することなく容易かつ短期間に解体することができる。
【符号の説明】
【００３３】
１：円形タンク
２：側壁
３：屋根
４：スリット
４ａ：水平スリット
４ｂ：傾斜スリット
５：旋回手段
６：ワイヤ
７：ジャッキ
１１：タンク
１２：側壁
１２ａ：切断片
１３：切断部
１４：旋回手段
１５：ワイヤ
１６：ジャッキ
１７：ローラ
【図１】
2018188924.tif 000003
【図２】
2018188924.tif 000004
【図３】
2018188924.tif 000005
【図４】
2018188924.tif 000006
【図５】
2018188924.tif 000007